(57)【要約】  時計機構によって駆動可能な軸を有する指針をいくつか備えた時計用の文字板モジュールであって、文字板モジュール（１）は外装体（１０）と少なくとも２つの独立した指針とで構成され、各指針（２、３）はそれぞれ固有の独立した同心文字板（６、７）を備え、２つの指針（２、３）が決して互いに重なり合わず、可動文字板（単数または複数）（７）が外装体（１０）に対して常に一定の向きに姿勢を維持するように、少なくとも指針（３）は、その軸（５）および文字板（７）と共に、別の第１の指針（３）に対して移動可能であり、指針（２、３）の上側可視部分と文字板（６、７）とは単一の連続面に配置されることを特徴とする文字板モジュール。【選択図】図１
2013513115.tif 000002
【特許請求の範囲】
【請求項１】
時計用の文字板モジュールであって、より具体的には、同心に配置された文字板上の時間目盛または別の表示目盛（８−９）に沿って、軸線を中心に旋回可能な指針をいくつか備え、前記指針の軸が時計機構によって駆動可能である文字板モジュール（１）において、前記文字板モジュール（１）は、外装体（１０）と、それぞれの軸（４、５）が互いに半径方向に距離を置いて配置された少なくとも２つの独立した指針、すなわち第１の指針（２）および第２の指針（３）、とで構成され、各指針（２、３）はそれぞれ固有の独立した同心文字板（６、７）を備え、前記２つの指針（２、３）が決して互いに重なり合わず且つ可動文字板（単数または複数）（７）が前記外装体（１０）に対して常に一定の向きに姿勢を維持するように、少なくとも前記第２の指針（３）は、その軸（５）および文字板（７）と共に、前記第１の指針（３）に対して移動可能であり、前記指針（２、３）の上側可視部分と前記文字板（６、７）とは単一の連続面に配置されることを特徴とする文字板モジュール。
【請求項２】
前記連続面は平面または曲面であることを特徴とする、請求項１に記載の文字板モジュール。
【請求項３】
前記第２の指針（３）は、その文字板（７）と共に、前記第１の指針（２）の旋回円の内側に配置されることを特徴とする、請求項１または２に記載の文字板モジュール。
【請求項４】
前記第２の指針（３）は、その文字板（７）と共に、前記第１の指針（２）と同期して移動することを特徴とする、先行請求項の何れか１項に記載の文字板モジュール。
【請求項５】
前記第１の指針（２）は、環状文字板（６）の内側で旋回可能な円板（２Ｂ）上の指針記号（２Ａ）として実現され、前記第２の指針（３）の前記文字板（７）はこの円板（２Ｂ）の開口部（１１）内で旋回可能であり、前記回転中、前記第２の指針（３）の前記文字板（７）が前記外装体（１０）に対して常に同じ固定位置を維持するように、前記第１の指針（２）のこの円板（２Ｂ）と、前記第２の指針（７）の前記文字板（７）、すなわち軸受に収容された文字板、とは、前記時計機構によって同じ回転速度で、しかし相対する方向に、駆動されることを特徴とする、先行請求項の何れか１項に記載の文字板モジュール。
【請求項６】
前記第２の文字板（７）は、前記第１の指針（２）の前記円板（２Ｂ）の軸受に収容された円環として実現され、前記第２の指針（３）は、前記第２の円環状文字板（７）の軸受に旋回可能に収容された円板（３Ｂ）上の指針記号（３Ａ）として実現されることを特徴とする、請求項５に記載の文字板モジュール。
【請求項７】
前記時計機構は、１つ以上の一次中心駆動軸、および／または前記一次軸に対して偏心して取り付けられた１つ以上の二次駆動軸、を有する伝統的な時計機構であることを特徴とする、先行請求項の何れか１項に記載の文字板モジュール。
【請求項８】
前記可動文字板（７）と前記指針（２、３）とは前記時計機構の１つ以上の一次軸によって駆動され、各軸は前記指針の全てまたは一部、および／または前記文字板の全てまたは一部、を駆動することを特徴とする、請求項７に記載の文字板モジュール。
【請求項９】
前記可動指針（２、３）および前記可動文字板（７）の全てが前記時計機構の単一の軸によって駆動されることを特徴とする、請求項７に記載の文字板モジュール。
【請求項１０】
前記可動指針（２、３）および前記可動文字板（７）は、前記機構の１つ以上の二次軸と組み合わされて、または他の方法で一緒に、１つ以上の一次軸によって駆動されることを特徴とする、請求項８または９に記載の文字板モジュール。
【請求項１１】
前記可動指針（２、３）および前記可動文字板（７）は、１つ以上の歯車装置によって駆動されることを特徴とする、請求項８乃至１０の何れか１項に記載の文字板モジュール。
【請求項１２】
前記可動指針（２、３）および前記可動文字板（７）は、最大２レベルに構成された複数の歯車を備えた１つ以上の歯車装置によって駆動されることを特徴とする、請求項１１に記載の文字板モジュール。
【請求項１３】
少なくとも１つの文字板（６）が前記文字板モジュール（１）の前記外装体（１０）に対して固定される、またはその一部を形成する、ことを特徴とする、先行請求項の何れか１項に記載の文字板モジュール。
【請求項１４】
先行請求項の何れか１項に記載の文字板モジュール（１）を含むことを特徴とする時計。
【発明の詳細な説明】
【技術分野】
【０００１】
本発明は、時計用の文字板モジュールに関し、特に、時計機構によって駆動されて文字板上の時間目盛に対してその上を移動する指針をいくつか備えた文字板モジュールに関する。
【背景技術】
【０００２】
機械式時計またはアナログ表示付き時計の間では、２つの大きなカテゴリを区別できる。
【０００３】
よく知られている第１のカテゴリは、文字板と、時計機構の影響下で軸線を中心に旋回する針の形態の複数の指針とを備えた伝統的な時計のカテゴリである。
【０００４】
あまり知られていない第２のカテゴリは、文字が刻まれた回転する円環または円板を備えた時計のカテゴリである。円板または円環は、時計機構の駆動軸に直接配置され、指針に取って代わる。円環には、円環の時間機能に対応する数字、すなわち時間円環の場合は数字１から１２、分円環および秒円環の場合は数字１から６０、が刻まれている。この時計に固着されたフレームまたは基準は、読み取り用マーカまたは線を示し、最も外側の固定円環に数字が刻まれている。
【０００５】
指針と文字板とを有する第１のカテゴリの伝統的な時計は、集合思考において、実際に原型的な読み取り時の反射運動を利用できるという利点をもたらす。我々の認知過程は、各指針が指している数字を詳細に読み取らなくても、素早い一瞥だけで時刻が分かるようになっている。
【０００６】
このカテゴリの欠点は、指針間の交差を回避するために、時刻表示が複数の層に構造化され、各指針が異なる平面にあることが機械的に示唆される点である。
【０００７】
すなわち、特定の位置において指針同士が互いを覆い隠すか、または日付けに関する情報など他の情報が覆い隠される場合がある。
【０００８】
同様に、時計がクロノメータ、２４時間表示、月の相、予備運転力の表示、この種の他の表示などの追加機能を備えている場合、これらの機能は不可避的にその全体または一部が一時的に覆い隠されるので、このような状況においてはその読み取りが邪魔されるか、または妨げられる。
【０００９】
複数の指針と複数の文字板とを有し、複数の層に構造化された時計の一例が欧州特許出願公開第０９２１４５１号に記載されている。
【００１０】
複数の層から成るこのような構造の別の欠点は、このために、時刻を読み取る際の視角に応じて異なる時刻が読み取られるというように、時刻を読み取る際に視差誤差が生じる点である。したがって、読み取られる時刻は、文字板に直角な視方向から時刻が読み取られる場合にのみ、正しい。
【００１１】
あまり知られていない第２のカテゴリは、複数の円環または円板が少なくとも同じ平面に配置されている場合は、これらの円環または円板が互いを覆い隠さないという利点をもたらす。
【００１２】
ただし、このカテゴリに固有の欠点は、使用者が時刻を読み取りたいときに、使用者は何時であるかを知るために数字を注意深く読み取る必要がある点である。これに加え、複数の円環という幾何学的構造のために、数字のサイズが限られるという事実がある。読み取り難さという人間工学的欠点は、このカテゴリの市場占有率が低いことの重要な理由である。
【００１３】
複数の円板を有する時計の一例が中国特許出願公開第６７６０７４号に記載されている。この時計の欠点は、公知の直観的方法では時刻を読み取ることができず、時計の使用方法を知るために事前の説明が必要である点である。また、この時計は、複数の指針および複数の文字板が同じ平面にないという事実に関連する上記欠点を呈する。
【００１４】
複数の円板と複数の円環とを有する時計の一例が欧州特許出願公開第１００３０８５号に記載されている。欧州特許出願公開第１００３０８５号に記載されているように、このような時計は、読み取り難いという欠点に加え、複数の文字板上で複数の指針が偏心して回転するため、複数の指針および複数の文字板の間に自由空間が必要であることから、相対的に大きな直径を有するという欠点を呈する。したがって、複数の指針および複数の文字板は単一の連続面上にない。複数の指針および複数の文字板の間の上記自由空間にゴミやチリが堆積して時計の良好な動作を妨害する恐れがある。
【発明の概要】
【課題を解決するための手段】
【００１５】
本発明の目的は、上記欠点の少なくとも１つまたは別の欠点に対する解を提供することである。
【００１６】
この目的のために、本発明は時計用の文字板モジュールに関する。より具体的には、同心円状に配置された文字板上の時間目盛に沿って、軸線を中心に旋回可能な指針をいくつか備え、これらの指針の各軸が時計機構によって駆動可能である文字板モジュールにおいて、該文字板モジュールは、外装体と、少なくとも２つの独立した指針とを有し、第１および第２の指針のそれぞれの軸線は半径方向に互いに距離を置いて配置され、各指針はそれぞれ固有の独立した同心文字板を備え、２つの指針が互いに重なり合わず且つ可動文字板が外装体に対して常に一定の向きに姿勢を維持するように、少なくとも第２の指針は、その軸および文字板と共に、もう一方の第２の指針に対して移動可能であり、複数の指針の上部可視部分および複数の文字板が単一の連続面に配置されることを特徴とする文字板モジュールに関するものである。
【００１７】
このような文字板モジュールの利点の１つは、複数の指針が決して互いに重なり合わず、その結果、いつ如何なる状況においても時刻および他の情報の読み取りが妨げられずに可能である点である。
【００１８】
好適な一特徴によると、長針の使用を可能にしながら、腕時計および非携帯用時計に例外なく必要である文字板モジュールのコンパクト化を可能にするように、第２の指針は、その文字板と共に、第１の指針の旋回円の内側に配置される。
【００１９】
実用的な一実施形態は、第１の指針は環状文字板の内側で旋回可能な円板上の指針記号として実現され、第２の指針の文字板はこの円板の軸受に旋回可能に収容され、回転中、第２の指針の文字板が外装体に対して常に同じ固定位置を維持するように、第１の指針の上記円板と軸受に収容された第２の指針の文字板とは時計機構によって同じ回転速度で、ただし相対する方向に、駆動されるという事実によって特徴付けられる。
【００２０】
この実施形態において第２の指針は、その文字板と共に、第１の指針と同期して移動するので、この２つの指針間に如何なる干渉も重なり合いも生じ得ない。
【００２１】
また、この実施形態は、複数の歯車装置によって相対的に単純な方法で実現可能である。
【００２２】
この実施形態では、第２の指針の文字板は第１の指針の円板の軸受に収容された円環として実現され、第２の指針は上記第２の環状文字板の軸受に旋回可能に収容された円板上の指針記号として実現されうるが、この逆も可能である。
【００２３】
このように、文字板モジュールの上側可視部分は完全に平坦に、または一続きの曲面に沿って、実現されうるので、複数の指針および複数の文字板は単一の連続面に沿って、または曲面の表面に、配置される。
【００２４】
文字板モジュールは、１つ以上の一次中心駆動軸、および／または上記一次軸に対して偏心して取り付けられた１つ以上の二次駆動軸、と共に、伝統的な時計の機構に合体または組み込み可能なモジュールとして実現可能であり、このために、これらの文字板および指針は例えば１つ以上の歯車装置によって駆動可能である。
【００２５】
これは、既存の時計機構を利用できるという利点をもたらすが、この目的のために開発された時計機構への歯車駆動装置の組み込みを排除するものではない。
【００２６】
本発明は、本発明による文字板モジュールを含む時計にも関する。
【００２７】
本発明の特徴をより良く示すために、本発明による文字板モジュールの好適な実施形態のいくつかを例として、限定する意図は一切なしに、添付図面を参照して説明する。
【図面の簡単な説明】
【００２８】
【図１】本発明による文字板モジュールの平面図を模式的に示す。
【図２】別の時刻における図１の文字板モジュールを示す。
【図３】図１と同じ文字板モジュールであるが、下部構造を示すために図１の可視部分が部分的に透明である図を示す。
【図４】図３の線ＩＶ−ＩＶに沿った横断面を示す。
【図５】図３にＦ５で示されている歯車装置の斜視図を示す。
【図６】図５に示されているような歯車装置の実施形態の一変形例を示す。
【図７】図５に示されているような歯車装置の実施形態の別の変形例を示す。
【発明を実施するための形態】
【００２９】
図１は、時計用の、この場合は２つの指針、例えば分を表す第１の指針２と時間を表す第２の指針３、を有する、本発明による文字板モジュール１の一例を示す。
【００３０】
これらの指針２および３は、軸４および５にそれぞれ個別に取り付けられ、それぞれの軸を中心に旋回可能である。軸４および５は、互いに半径方向に距離を置いて配置され、それぞれ固有の文字板６および７に対して個別に旋回可能である。文字板６および７は、対応する指針２−３の軸４−５の周りに同心に配置され、適切な時間目盛または別の表示、例えば時間用の時間目盛８と分用の時間目盛９、をそれぞれ備える。
【００３１】
図示の例では、第１の指針２の文字板６は固定された文字板であり、文字板モジュール１または時計の外装体１０の一部を形成し、軸４と同軸の外環として実現される。
【００３２】
さらに、第１の指針２は、上記軸４を通る軸線Ｘ−Ｘ’を中心に上記環状文字板６の内側で同軸に旋回可能な円板２Ｂ上の指針記号２Ａとして実現される。
【００３３】
第２の指針３の文字板７は、第１の指針２の円板２Ｂの円形開口部１１内に配置された軸受に旋回可能に収容され、軸線Ｘ−Ｘ’を中心とした円板２Ｂの回転運動に同期して追従する軸線Ｙ−Ｙ’を中心に旋回可能である。
【００３４】
軸線Ｙ−Ｙ’は、例えば、第１の指針２の表示軸線上にも配置される。この軸線は、この例では指針記号２Ｂの長手方向に延在するが、厳密にそうである必要はない。
【００３５】
第２の指針の文字板７も円環として実現され、第２の指針３も上記の第２の環状文字板７に配置された軸受に旋回可能に収容される第２の円板３Ｂ上の指針記号３Ａとして実現される。
【００３６】
指針２および３と文字板７とは、時計機構によって駆動され、第２の指針３の文字板７はその軸線Ｙ−Ｙ’を中心に第１の指針２の回転速度に等しい回転速度で、しかし反対方向に、駆動されるので、第２の指針３の文字板７は、回転中、外装体１０に対して常に同じ一定の向きを維持する。
【００３７】
これにより、文字板６が外装体に固定されていることにより、この外装体１０に対して一定の向きを維持する伝統的な時計と同じように、時間目盛９は常に一定の向きを維持する。
【００３８】
指針２および３は、伝統的な時計のように、公知の方法で、時間目盛に対して時間と分または他の情報を示すために、時計機構によって駆動される。
【００３９】
図１では、文字板モジュールは１２時の位置で示されている。一方、図２では、文字板はそれより後の８時２０分にほぼ対応する時刻の位置で示されている。ここで注目すべき重要な点は、時針３の軸５とその文字板７とが分針２と同期して軸線Ｘ−Ｘ’を中心に旋回した点である。ただし、時針３のこの文字板７は常に同じ向きを維持している。
【００４０】
このように、この動作は、伝統的な時計の指針と同様に旋回する指針２および３による時刻表示に基づいている。指針２および３は、相対的な回転運動によって駆動されない文字板６および７を指す。これにより、伝統的な時計の場合のように「無意識な」読み取りを可能にする。すなわち、一般的な使用者は、指針２および３が指している先が時間目盛８または９のどの数字または記号かを読み取らなくても、経験的事実認識に基づいた読み取りによって各指針の角位置から時刻を推定できる。
【００４１】
また、何れの数字または他の表示も一定の向きを維持するので、上下逆さに、または横から、読み取らなくても、常に読み取り可能である。
【００４２】
文字板モジュール１は歯車装置１２によって駆動される。歯車装置１２は、簡略化のために図面には示されていない時計機構の一次軸および／または二次駆動軸によって駆動される。
【００４３】
図３から図５は、上記軸４を介して第１の指針２の円板２Ｂを駆動する中心駆動軸を有する、伝統的な時計の機構に合体可能な歯車装置の一例を示す。
【００４４】
歯車機構１２は、外装体１０に固着された、その軸線が軸線Ｘ−Ｘ’に一致する固定された中心歯車１３で構成される。歯車１３は、指針２の円板２Ｂに固着された軸線Ｚ−Ｚ’上の軸１５を中心に自由に旋回可能な歯車１４と噛み合う。
【００４５】
後者の歯車１４は、第２の指針３の環状文字板７に同軸に取り付けられてこの文字板７を駆動する歯車１６とも噛み合う。
【００４６】
上記歯車１４には同軸の歯車１７が固着され、歯車１７は、第２の指針３の円板３Ｂに固着された、その軸が軸線Ｙ−Ｙ’と一致する歯車１８と噛み合う。
【００４７】
この歯車１８は、第１の指針２の円板２Ｂに固着された軸１９に配置された軸受に収容される。
【００４８】
動作は以下のとおり単純である。
【００４９】
時計機構が第１の指針２の円板２Ｂを時計回り方向に駆動すると、歯車１３は固定されているため、歯車１４はその軸１５を中心に旋回し、この歯車１４は第２の指針３の環状文字板７を円板２Ｂに対して、ただし反時計回り方向に、旋回させる。
【００５０】
歯車１３および１６の歯数が同じであると、第２の指針３の文字板７は、外装体１０に対して常に同じ向きを維持することになる。
【００５１】
第２の指針３は、歯車１７の回転によって駆動される。歯車１７は、歯車１４と同期して旋回し、第２の指針３の円板３Ｂの歯車１８を駆動する。
【００５２】
歯車１７および１８の歯数比が適切に選択されていると、第２の指針３は、伝統的な時計の指針のように、その文字板７の内側で旋回することになる。
【００５３】
この場合、これは間接伝動と呼ばれる。
【００５４】
指針同士が一切重なり合わず、如何なる視差もなく、時刻があらゆる視角から明確に読み取れるように、両指針の上側可視部分および両文字板が単一の連続面に配置されるので、これらの指針および文字板が互いに重なり合わないことは図面から明らかである。これらの指針および文字板が同じ平面に配置されていない場合は、不可避的に視差が発生し、時計上の時刻を読み取る際の視角に応じて読み取り値に差が生じる。
【００５５】
これらの指針および文字板が同じ連続面上にあるため、如何なる視角からでも常に正しい時刻を読み取ることができる。
【００５６】
この連続面は、いわば実質的に閉じた表面である。少なくとも、これらの指針および文字板の間には極めて小さい隙間が存在する。したがって、この時計は、実質的に塵埃に対して密閉されており、これらの可動指針および文字板の間に接合部を狭装することによって塵埃に対する完全密閉も容易に可能である。
【００５７】
これにより、これらの指針および文字板の前の保護ガラスを省くことさえ可能であり、さらに扁平な時計の実現が可能になる。
【００５８】
これらの指針および文字板が１つの平面に配置されないことを排除するものではなく、凹面または凸面および一続きの曲面でも同じ利点が得られる。この場合、軸線Ｘ−Ｘ’、Ｙ−Ｙ’、およびＺ−Ｚ’は必ずしも互いに平行である必要はない。
【００５９】
例えば、秒針または別の指針など第３の指針の装着が排除されないことも明らかである。第３の指針は、例えば第１または第２の指針２および３の円板２Ｂまたは３Ｂに組み込み可能であり、上記の実施形態では、例えば第２の指針２とその文字板７の場合と同様に、第１の指針２の円板２Ｂに組み込まれる。
【００６０】
文字板モジュールは、図３から図５の例では、単一の駆動軸４によってのみ駆動されることは明らかである。これにより、駆動に用いる時計機構をより単純、よりコンパクトにすることができる。
【００６１】
文字板モジュール自体は限られた数の歯車装置によってのみ駆動されることも明らかである。これらの歯車装置は、図示の例では、２レベルの歯車でのみ構成される。これにより、少なくとも３レベルの歯車が使用されている公知の文字板モジュールに比べ、高さ寸法がコンパクトな文字板モジュールの実現が可能になる。
【００６２】
上記のような間接駆動の変形例として、直接駆動も可能である。この場合、両指針および両文字板を駆動するために、伝統的な時計の一次中心駆動軸を２つ以上使用する。したがって、歯車装置１２は複数の要素になり、各要素が時計機構の個別の駆動軸によって駆動される。
【００６３】
このような直接駆動の一例が図６に示されている。この例では、時計機構の一次駆動軸が２つ用いられている。
【００６４】
歯車Ｒは、指針には取り付けられず、第１の中心一次軸、例えば秒用の中心駆動軸、に直接取り付けられる。
【００６５】
歯車Ｏは固定されており、上記の間接駆動における歯車１３と同様の機能を有する。
【００６６】
軸線Ｌ、Ｍ、およびＮは、Ｘ−Ｘ’を中心に旋回する。軸受Ｌ、Ｍ、およびＮは、軸線がＸ−Ｘ’である第１の指針２の円板２Ｂに固定される。円板２Ｂは、時計機構の第２の一次駆動軸に直接取り付けられるか、または二次軸によって駆動される。
【００６７】
歯車Ｏ、Ｐ、およびＱは、互いに相互依存関係にある。すなわち、Ｏの歯数がＱと同じであると、Ｘ−Ｘ’を中心としたＬおよびＮの並進中、Ｏに対するＱの相対的角変位はゼロになる。Ｑは、軸線Ｎを中心に旋回する共通軸を介して、環状文字板７と直接の相互依存関係にある。すなわち、ＯとＱとが同じ歯数を有し、Ｐを介して互いに相互依存関係にある場合、環状文字板７は、Ａを中心としたＮの並進中、外装体１０に対して一定の向きを維持する。
【００６８】
軸Ｎを中心とした第１の指針２の回転は、ＲによってＳおよびＴを介して開始される。歯車ＳおよびＴは、Ｍを中心に旋回する軸を介して互いに相互依存的に固定されるか、または単一の歯車Ｓ−Ｔに組み込まれる。歯車ＵおよびＴ間の歯数比、または歯車ＳおよびＴ間の歯数比は、ＲとＵとの間の相対角変位がゼロになるようにする必要がある。歯車Ｒの歯数が歯車Ｕと同じであり、歯車Ｔに対する歯車Ｓの歯数比が６０／５９である場合、Ｘ−Ｘ’を中心としたＭおよびＮの並進は、ＲとＵとの間の相対角変位をゼロにするであろう。これにより、このＲの角変位はＵの角変位に等しくなる。
【００６９】
伝統的な時計の機構の一次中心軸を介した直接および間接駆動に加え、偏心して取り付けられた伝統的な時計の１つ以上の二次駆動軸を介した駆動も可能である。これらの二次軸は、伝統的な時計においては、時計がクロノメータ機能を備えている場合に用いられることが多いように、例えば偏心して取り付けられた小さな秒針用に用いられているか、あるいは日付、月の相、予備運転力、およびこの種の他の表示など他の機能のために用いられている。
【００７０】
このような駆動装置の一例が図７に示されている。これは、二次軸を介した直接駆動装置の一変形例である。
【００７１】
この変形例は、歯車Ｗ、Ｒ、Ｖ、およびＵの組み合わせによって、固定された時計と第１の指針２の円板２Ｂとの間に配置された歯車装置によって形成される。
【００７２】
歯車Ｒは、Ｖと相互依存的に固着され、ＶおよびＲは、それぞれの軸線Ｘ−Ｘ’を中心に一緒に自由に旋回可能である。一方、Ｖは、時計機構の二次軸Ｙに固着された歯車Ｗに結合される。Ｗは、伝統的な時計において当該軸によって駆動される機能に取って代わる。これにより、角変位がＷからＲおよびＶを介してＵに伝達される。ＲとＵの歯数間の相互比率は、Ａを中心としたＮの回転を吸収する必要がある。
【００７３】
上記３つの歯車装置のおかげで、本発明による文字板モジュール１を駆動するための基盤として、ほぼ全ての伝統的な時計を使用できる。
【００７４】
指針および文字板の役割を逆にできること、例えば、外装体に対する向きが適切な歯車装置によって維持される円板２Ｂに時間目盛９を設ける一方で、指針機能を、例えば時間を示すために時計機構によって駆動される円環７上の指針表示によって、保証することは、上記から明らかである。
【００７５】
いくつかの同心円環が、一方の円環が他方の円環の周りに、または円板の周りに、配置されることも排除されない。この場合、例えば中間円環の向きは外装体に対して維持され、他の円環または円板は、中間円環側を向いた指針を有する個別の指針機能をそれぞれ有する。
【００７６】
時間目盛は広く解釈されるべきであり、時間目盛は、例えば、月の相、予備運転力、または他の情報の表示をも意味することは明らかである。
【００７７】
本発明は例として記載され、図面に示された実施形態に決して限定されるものではなく、本発明による文字板モジュールおよびこのようなモジュールを備えた時計は、本発明の範囲から逸脱することなく、あらゆる種類の変形例で実現可能である。
【図１】
2013513115.tif 000003
【図２】
2013513115.tif 000004
【図３】
2013513115.tif 000005
【図４】
2013513115.tif 000006
【図５】
2013513115.tif 000007
【図６】
2013513115.tif 000008
【図７】
2013513115.tif 000009
【国際調査報告】
2013513115.tif 000010
2013513115.tif 000011
2013513115.tif 000012
2013513115.tif 000013